(57)【特許請求の範囲】
【請求項１】
直流の電力が供給されることで発光する素子を用いた照明部を有する照明装置であって、
前記照明装置の外部にある通信回線網側の有線ＬＡＮのルータと有線接続されるＬＡＮ回線網側接続部と、
前記ＬＡＮ回線網側接続部と通信接続されて前記照明装置から離間する外部機器が備える無線ＬＡＮ子機側通信装置と通信が可能である無線ＬＡＮ親機側通信部と、
前記ＬＡＮ回線網側接続部と通信接続されて前記外部機器の光無線ＬＡＮ子機側通信装置と通信が可能である光無線ＬＡＮ親機側通信部と、
前記ＬＡＮ回線網側接続部、無線ＬＡＮ親機側通信部、及び、光無線ＬＡＮ親機側通信部に通信接続され、前記ＬＡＮ回線網側接続部を介して前記ルータと前記外部機器との通信を設定する時に、先に前記無線ＬＡＮ親機側通信部で外部機器が備える無線ＬＡＮ子機側通信装置と通信して外部機器の光無線ＬＡＮ子機側通信装置から光信号を送出させ、光無線ＬＡＮ親機側通信部で光無線ＬＡＮ子機側通信装置からの光信号が受信できた場合に、前記ＬＡＮ回線網との接続を前記無線ＬＡＮ親機側通信部から前記光無線ＬＡＮ親機側通信部に切り替える制御部と、
前記照明装置の外部にあって商用交流電力を前記照明部に適した直流の電力にＡＣ−ＤＣ変換する直流電源装置から印加される直流電力の配線材に接続されると共に、少なくとも前記無線ＬＡＮ親機側通信部、光無線ＬＡＮ親機側通信部、及び制御部に接続され、前記照明部に印加される直流の電力を、少なくとも前記各親機側通信部、及び、制御部で各々用いられる各直流電圧値の電力に変換して前記各部に供給するＤＣ−ＤＣの直流電力変換部と、
を少なくとも有することを特徴とする照明装置。
【請求項２】
前記無線ＬＡＮ親機側通信部、及び、前記光無線ＬＡＮ親機側通信部は、前記照明部のＯＮ／ＯＦＦスイッチよりも電力供給の源流側に電源の配線が接続される
を有することを特徴とする請求項１に記載の照明装置。
【請求項３】
少なくとも前記無線ＬＡＮ親機側通信部は、前記照明装置に着脱可能な通信部側端子を有し、
前記照明装置は、少なくとも前記無線ＬＡＮ親機側通信部を着脱可能な照明装置側端子を有し、
該照明装置側端子は、接続された通信部に電源電力を供給する
ことを特徴とする請求項１または２に記載の照明装置。
【請求項４】
請求項１〜３の何れか１項の照明装置の通信設定方法であって、
有線ＬＡＮのルータと有線接続するステップと、
前記無線ＬＡＮ親機側通信部を用いて、前記外部機器が備える前記無線ＬＡＮ子機側通信装置と通信し、当該外部機器の前記光無線ＬＡＮ子機側通信装置から第１の光信号を送出させるステップと、
前記光無線ＬＡＮ親機側通信部で前記光無線ＬＡＮ子機側通信装置からの第１の光信号の受信動作を実施するステップと、
を少なくとも有することを特徴とする通信設定方法。
【請求項５】
前記光無線ＬＡＮ親機側通信部で前記第１の光信号の受信動作を実施するステップで受信できない場合に、
前記無線ＬＡＮ親機側通信部を用いて、前記外部機器に改善指示を送信して前記光無線ＬＡＮ子機側通信装置と前記光無線ＬＡＮ親機側通信部との間の光通信環境を受信可能に改善させて上記各ステップを繰り返すステップ
を有することを特徴とする請求項４に記載の通信設定方法。
【請求項６】
前記光無線ＬＡＮ親機側通信部で前記第１の光信号の受信動作を実施するステップで受信できた場合に、
前記ＬＡＮ回線網との通信接続を、前記無線ＬＡＮ親機側通信部から前記光無線ＬＡＮ親機側通信部に切り替えるステップ
を有することを特徴とする請求項４または５に記載の通信設定方法。
【請求項７】
前記光無線ＬＡＮ親機側通信部から前記外部機器の前記光無線ＬＡＮ子機側通信装置に光信号を送信するステップ
を有することを特徴とする請求項６に通信設定方法。
【請求項８】
前記光無線ＬＡＮ親機側通信部から光信号を送信した後に、前記光無線ＬＡＮ親機側通信部で前記光無線ＬＡＮ子機側通信装置から第２の光信号を受信するステップ
を有することを特徴とする請求項７に通信設定方法。
【請求項９】
前記光無線ＬＡＮ子機側通信装置から第１の光信号を送出させるために前記無線ＬＡＮ子機側通信装置と通信するステップ、及び／又は、前記第１の光信号を受信するステップでは、各前記外部機器を認識可能なＩＤコードを少なくとも受信する
ことを特徴とする請求項４に記載の通信設定方法。
【請求項１０】
前記外部機器に光信号を送信するステップでは、当該光信号に含まれる前記外部機器を認識可能なＩＤコードを少なくとも送信する
ことを特徴とする請求項７に記載の通信設定方法。
【請求項１１】
前記外部機器から前記第２の光信号を受信するステップでは、当該光信号に含まれる前記外部機器を認識可能なＩＤコードを少なくとも受信する
ことを特徴とする請求項８に記載の通信設定方法。
【発明の詳細な説明】
【技術分野】
【０００１】
本発明は直流の電力で発光する素子を用いた照明装置に関し、特に、照明装置に付属する通信装置とその通信設定方法に関する。
【背景技術】
【０００２】
光源に発光ダイオードやレーザダイオードなどの直流の電力が供給されることで発光する素子を用いた照明装置は、白熱電球や蛍光灯等の照明光源と比較して長寿命、小型、低消費電力であることから使用量が増加しつつある。また、発光ダイオードは、余熱不要であり、応答速度が速く、電源の制御により点滅の制御や発光量の変調制御が可能であり、直流電源で発光するのでノイズの発生が少なく、通信信号の伝送に適している。そのため照明光の光源をそのまま信号元として利用することが提案されている（例えば、特許文献１参照）。
【０００３】
また、照明用の可視光を変調して通信することと、それとは別に可視光の消灯時に赤外ＬＥＤ（Ｌｉｇｈｔ  Ｅｍｉｔｔｉｎｇ  Ｄｉｏｄｅ）を変調させて通信に用いることが提案されている（例えば、特許文献２、３参照）。また、特許文献２では、照明点灯時には照明部の可視光ＬＥＤに電力を供給し、照明消灯時には赤外ＬＥＤに電力を供給することが提案されている。
【０００４】
また、可視光ＬＥＤ照明部に通信データ送信部と受光素子を設け、パーソナルコンピュータ等に接続されて赤外光送信部と受光素子を有する子機との間で、光無線ＬＡＮを構成することが提案されている（例えば、特許文献４参照）。
【先行技術文献】
【特許文献】
【０００５】
【特許文献１】特開２００４―２２１７４７号公報
【特許文献２】特開２００４―２８２３８９号公報
【特許文献３】特開２００８―９２３０３号公報
【特許文献４】特開２００９―２２５１９６号公報
【発明の概要】
【発明が解決しようとする課題】
【０００６】
従来のＬＥＤ照明装置に設けられた親機側の光無線ＬＡＮ用通信装置と、それと離間する外部機器に設けられた子機側の光無線ＬＡＮ子機側通信装置と通信する場合、両者間に障害物が有る場合や、発光強度と空間の減衰量から予想される通信可能な境界領域では、安定した通信が難しく、通信設定も難しかった。障害物が有る場合に安定した通信や通信設定が難しくなるのは、光は直進性が強く回り込みが少ないため、光源から見て、障害物を越えた場所にある相手の通信装置と通信が困難なためである。
【０００７】
また、境界領域で安定した通信や通信設定が難しくなるのは、光の減衰量は比較的大きいので、わずかな環境条件の変化等により通信可能であったものが不可能に変化したり、逆の変化があるためである。例えば、ＬＥＤ照明装置に光無線ＬＡＮを工場やオフィス等の広い面積の室内に設置する場合に、一つの照明に設置された親機と複数の子機との間で通信可能な範囲は、照明装置の取り付け高さや、通信の障害となる設備（パーテーション、ラック、机、機材等）の有無、配置の移動等の複数の条件により変動する。従って、光無線ＬＡＮで通信可能な範囲は、室内のちょっとした模様替えや配置変更等によっても変動し、その度に、子機側の光無線ＬＡＮ用通信装置側では、異なる親機側（ＬＥＤ照明装置側）との通信設定が必要になる。
【０００８】
また、電波を用いた無線ＬＡＮ用通信装置と比較して、一般的に光無線ＬＡＮ用通信装置の親子間の到達距離は短いので、個々の光無線ＬＡＮ用通信装置の親機のカバーする範囲は狭く、室内に境界領域ができやすい。また、複数の照明装置で室内を照明する場合には、親子間の到達距離の短かさゆえに、複数の照明装置に光無線ＬＡＮ用通信装置の親機の機能を備えなければならない場合がある。
【０００９】
以上のような理由から、室内に複数の照明装置を設置する場合に、どの照明装置に光無線ＬＡＮ用通信装置を設けるかは、設置時の子機側通信装置の配置と設置者の経験／技能により決定されるか、設置者に経験／技能が豊富でない場合には子機側通信装置の数や配置に余裕をもたせるように安全率を大きくして決定されていた。
【００１０】
しかし、それらの照明装置に設置されるのは光無線ＬＡＮ用通信装置の親機のみであり、境界領域や障害物により通信不能である場合に、実際にパーソナルコンピュータ等の外部装置の子機側の配置を移動したり、周囲の器物の配置を変えてから、親機との通信接続を毎回試しながら通信可能な場所や配置を探すしか方法がなく、繁雑な作業であり、時間と工数が掛かっていた。また、外部装置の移動や周囲の器物の配置替え等により通信不能になった場合や、新規の外部装値を増設するも同様な作業が必要であり、繁雑な作業が必要であった。
【００１１】
安全率を高くするとは、簡単に言えば、複数の照明装置に各々設置される光無線ＬＡＮ用通信装置の設置台数を増加させることである。例えば、第１のＬＥＤ照明装置に設けられた親機側の第１の光無線ＬＡＮ用通信装置から相手の子機側の通信装置までの通信距離が境界領域である場合、その相手の通信装置は第１の光無線ＬＡＮ用通信装置との間の通信設定を行わず、通信距離がより近い第２のＬＥＤ照明装置に別途に設けられた第２の光無線ＬＡＮ用通信装置との間で通信設定を行うことで安定した通信を行うことができる。このようにして、通信できない可能性を減らして通信の安全率を高くできる。
【００１２】
また、ＬＥＤ照明装置に設けられる従来の光無線ＬＡＮの親機の設置については、ＬＥＤ照明装置の設置時に予想される子機側の光無線ＬＡＮ用通信装置の配置に基づいて固定的に配置が決定されていた。従って、子機側の光無線ＬＡＮ用通信装置の配置変更に対しては、親機側が対応できない場合があった。つまり、子機側の光無線ＬＡＮ用通信装置の配置が変更されると、親子間で光による通信信号の送受信ができなくなる場合があった。その場合、例えば、「既設の複数の親機から何れかの親機を選択して通信設定を行うべきか？」、「現状で親機が設置されていないＬＥＤ照明装置に新規に親機を設置するべきか？」等の判断が必要になる。
【００１３】
従来は、親子間の光による通信信号が子機側で受信できなくなった場合、上記したように子機側を移動させながら良好な配置を探るか、距離がより近いＬＥＤ照明装置に親機を設置して試すしかなく、また、親機の機能のオン・オフ設定等は、例えば、ルータに有線ＬＡＮ接続されたパーソナルコンピュータ等の外部装置か、良好に通信が可能な他の子機側の光無線ＬＡＮ用通信装置及びそれと接続する外部装置を用いるしかなかった。また、親子間の送受信ができなくなった子機側の光無線ＬＡＮ用通信装置に対して、検査のために親機側から光信号を送信させる等の処理には、他の外部装置が必要になり、複雑な処理工程であり、工数と時間が多く必要で判断が難しかった。
【００１４】
また、子機側の光無線ＬＡＮ用通信装置の通信設定については、例えば、親機との間の距離が通信の境界領域の距離である場合や、親機との間に部分的な障害物がある場合等で、親子間の通信に何か問題が発生した場合、「現状の親機との通信設定をそのまま続けるべきか？」、「他の親機との通信設定に変更するべきか？」等の判断についても、良好に通信が可能な他の子機側の光無線ＬＡＮ用通信装置を用いて、問題が発生した子機側の光無線ＬＡＮ用通信装置に対して、複雑な処理工程で判断する必要があり、工数と時間が多く必要で困難だった。
【００１５】
つまり、光無線ＬＡＮ用通信装置の親子間の通信に問題がある場合には、一台の子機側の光無線ＬＡＮ用通信装置により、親機側との通信接続状況を現場で実際に確認したり、それに適応するように通信設定することができず、良好に通信可能な他の子機を使用する必要があった。従って、光無線ＬＡＮの親機を他のＬＥＤ照明装置の親機に変更したり、新規に他のＬＥＤ照明装置に親機を設置することは容易ではなかった。
【００１６】
そのため、例えば、広い面積で複数のＬＥＤ照明装置を有する事業所に親機を設置する場合、想定される各親機の無線ＬＡＮの通信範囲よりも狭い範囲毎に無線ＬＡＮの親機を設置する必要があり、親機の設備コスト及び施工コストが増加していた。また、配置変更等によって親機からの無線信号を受信できない領域ができても、容易に親機を増設／配置変更することができなかった。
【００１７】
また、光無線ＬＡＮ用通信装置に代えてＰＬＣ（Ｐｏｗｅｒ  Ｌｉｎｅ  Ｃｏｍｍｕｎｉｃａｔｉｏｎ：高速電力線通信）を用いることも考えられる。ＰＬＣの利用については、配電盤等からＬＥＤ照明までの電源供給ラインは利用する可能性はある。ただし、壁体内や天井裏に電源の配線をする際にはＬＡＮ配線も可能であるので、壁体内や天井裏に電源の配線済みである場合等には選択される場合がある。但し、ＬＡＮの親機と子機間で用いる場合は、ＰＬＣは給電機器のノイズや電磁波の漏洩に弱く、たこ足配線等では特に通信速度が低下し、机上の通信速度より大幅に遅くなるという問題を有している。従って、仮にＬＥＤ照明側の親機と外部の装置側の子機との光無線ＬＡＮ通信の代わりにＰＬＣを用いても、充分な通信速度や利便性が得られる可能性は少ないので、代替えする効果は少なく問題点の方が多い。
【００１８】
そこで本発明は、上記の課題を解決するため、新規に光無線ＬＡＮを設置する場合だけでなく、照明装置に設けられる光無線ＬＡＮの親機の変更、子機の配置変更、及び光無線ＬＡＮに対する障害物の配置変更等がある場合でも、その現場の状況や変化に対応させて親機と通信設定する１台の被設定子機のみで変更に対応できる照明装置  及び通信設定方法を提供することを目的とする。
【課題を解決するための手段】
【００１９】
（１）上記課題を解決するために、本発明に係る照明装置は、直流の電力が供給されることで発光する素子を用いた照明部を有する照明装置であって、外部の通信回線網側の有線ＬＡＮのルータと有線接続されるＬＡＮ回線網側接続部と、ＬＡＮ回線網側接続部と通信接続されて照明装置から離間する外部機器が備える無線ＬＡＮ子機側通信装置と通信が可能である無線ＬＡＮ親機側通信部と、ＬＡＮ回線網側接続部と通信接続されて外部機器の光無線ＬＡＮ子機側通信装置と通信が可能である光無線ＬＡＮ親機側通信部と、ＬＡＮ回線網側接続部、無線ＬＡＮ親機側通信部、及び、光無線ＬＡＮ親機側通信部に通信接続され、ＬＡＮ回線網側接続部と外部機器との通信を設定する時に、先に無線ＬＡＮ親機側通信部で外部機器が備える無線ＬＡＮ子機側通信装置と通信して外部機器の光無線ＬＡＮ子機側通信装置から光信号を送出させ、光無線ＬＡＮ親機側通信部で光無線ＬＡＮ子機側通信装置からの光信号が受信できた場合に、ＬＡＮ回線網との接続を無線ＬＡＮ親機側通信部から光無線ＬＡＮ親機側通信部に切り替える制御部と、照明装置の外部にあって商用交流電力を照明部に適した直流の電力にＡＣ−ＤＣ変換する直流電源装置から印加される直流電力の配線材に接続されると共に、少なくとも無線ＬＡＮ親機側通信部、光無線ＬＡＮ親機側通信部、及び制御部に接続され、照明部に印加される直流の電力を、少なくとも各親機側通信部、及び、制御部で各々用いられる各直流電圧値の電力に変換して各部に供給するＤＣ−ＤＣの直流電力変換部と、を少なくとも有する。
【００２０】
本態様の照明装置によれば、照明装置に無線ＬＡＮと光無線ＬＡＮの両方の機能を備えて、設置時やレイアウト変更時には無線ＬＡＮ通信で光無線ＬＡＮ信号の送受信が可能かを確認し、可能であれば光無線ＬＡＮに切り替えることで、室内の複数の照明装置付属の光無線ＬＡＮの設定及びレイアウト変更後の通信設定を容易にする。光無線ＬＡＮ信号を受信可能に通信設定後は、光無線ＬＡＮのみで高速大容量通信が可能になる。
【００２２】
さらに、本態様の照明装置によれば、照明装置用電源電力を無線ＬＡＮと光無線ＬＡＮの電源電力に変換して供給する変換部を備えて、光無線ＬＡＮ子機側通信装置等の設置時やレイアウト変更時には、まず無線ＬＡＮ通信で光無線ＬＡＮ信号の送受信が可能かを確認し、可能であることが確認できたら、無線ＬＡＮを光無線ＬＡＮに切り替えることで、室内の複数の照明装置付属の光無線ＬＡＮの設定及びレイアウト変更後の通信設定を容易にでき、光無線ＬＡＮの高い通信速度を容易に利用できる。
【００２３】
（２）好ましくは、本発明に係る照明装置は、無線ＬＡＮ親機側通信部、及び、光無線ＬＡＮ親機側通信部は、照明部のＯＮ／ＯＦＦスイッチよりも電力供給の源流側に電源の配線が接続されるようにしてもよい。
本態様の照明装置によれば、各通信部の電源接続配線を、照明スイッチよりも電源供給の上流側に接続することで、照明ＯＦＦ時にもＬＡＮの通信を可能にすることができる。
【００２４】
（３）好ましくは、本発明に係る照明装置は、少なくとも無線ＬＡＮ親機側通信部は、照明装置に着脱可能な通信部側端子を有し、照明装置は、少なくとも無線ＬＡＮ親機側通信部を着脱可能な照明装置側端子を有し、その照明装置側端子は、接続された通信部に電源電力を供給するようにしてもよい。
【００２５】
本態様の照明装置によれば、設置時やレイアウト変更時等の通信設定時のみ照明装置に無線ＬＡＮ親機側通信部を取り付け、全ての照明装置には無線ＬＡＮ親機側通信部を設置しなくてよいようにできるので、設置時にコストダウンすることができる。また、光無線ＬＡＮの設定、追加設置、取り外し等を現場の状況に合わせて実施することができる。
【００２６】
（４）好ましくは、本発明に係る照明装置の通信設定方法は、上記照明装置の通信設定方法であって、有線ＬＡＮのルータと有線接続するステップと、無線ＬＡＮ親機側通信部を用いて、外部機器が備える無線ＬＡＮ子機側通信装置と通信し、当該外部機器の光無線ＬＡＮ子機側通信装置から第１の光信号を送出させるステップと、光無線ＬＡＮ親機側通信部で光無線ＬＡＮ子機側通信装置からの第１の光信号の受信動作を実施するステップと、を少なくとも有するようにしてもよい。
【００２７】
本態様の照明装置の通信設定方法によれば、先に照明装置の無線ＬＡＮで外部機器と通信して外部機器から光信号を出力させ、光無線ＬＡＮ親機側通信部で外部機器から第１の光信号を受信することで、外部機器からの光信号が障害により遮られること無く受信が可能であることがわかる。
【００２８】
（５）好ましくは、本発明に係る照明装置の通信設定方法は、光無線ＬＡＮ親機側通信部で第１の光信号の受信動作を実施するステップで受信できない場合に、無線ＬＡＮ親機側通信部を用いて、外部機器に改善指示を送信して光無線ＬＡＮ子機側通信装置と光無線ＬＡＮ親機側通信部との間の光通信環境を受信可能に改善させて上記各ステップを繰り返すステップを有するようにしてもよい。
【００２９】
本態様の照明装置の通信設定方法によれば、光信号が受信できない場合に、環境を改善することで、外部機器の通信設定を容易にすることができる。
【００３０】
（６）好ましくは、本発明に係る照明装置の通信設定方法は、光無線ＬＡＮ親機側通信部で第１の光信号の受信動作を実施するステップで受信できた場合に、ＬＡＮ回線網との通信接続を、無線ＬＡＮ親機側通信部から光無線ＬＡＮ親機側通信部に切り替えるステップを有するようにしてもよい。
【００３１】
本態様の照明装置の通信設定方法によれば、光信号が受信できた場合に、ＬＡＮ回線網との接続を光無線ＬＡＮに切り替えることで、通信速度と通信効率を高めることができる。
【００３２】
（７）好ましくは、本発明に係る照明装置の通信設定方法は、光無線ＬＡＮ親機側通信部から外部機器の光無線ＬＡＮ子機側通信装置に光信号を送信するステップを有するようにしてもよい。
【００３３】
本態様の照明装置の通信設定方法よれば、次に光無線ＬＡＮ親機側通信部で光信号の送信を実施することで、外部機器に光信号の送信も可能であることがわかる。このようにして光無線ＬＡＮの通信設定を容易に実施できる。
【００３４】
（８）好ましくは、本発明に係る照明装置の通信設定方法は、光無線ＬＡＮ親機側通信部から光信号を送信した後に、光無線ＬＡＮ親機側通信部で光無線ＬＡＮ子機側通信装置から第２の光信号を受信するステップを有するようにしてもよい。
【００３５】
本態様の照明装置の通信設定方法によれば、光無線ＬＡＮ親機側通信部で第２の光信号を受信することで、外部機器からの光信号の受信が確認でき通信リンクが安定してることが確認できる。このようにして光無線ＬＡＮの通信設定を容易に実施できる。
【００３６】
（９）好ましくは、本発明に係る照明装置の通信設定方法は、光無線ＬＡＮ子機側通信装置から第１の光信号を送出させるために無線ＬＡＮ子機側通信装置と通信するステップ、及び／又は、第１の光信号を受信するステップでは、各外部機器を認識可能なＩＤコードを少なくとも受信するようにしてもよい。
【００３７】
本態様の照明装置の通信設定方法によれば、受信信号にＩＤコードを含ませることで、１つの照明装置と複数の外部機器との間で通信設定する場合でも、個別の外部機器との間のアップリンクの通信状況を確認でき、外部機器毎に個別に通信信号の形式、認証方法、暗号化キー等を設定できるので、親機側で個別の外部機器からの信号受信が可能になる。
【００３８】
（１０）好ましくは、本発明に係る照明装置の通信設定方法は、外部機器に光信号を送信するステップでは、当該光信号に含まれる外部機器を認識可能なＩＤコードを少なくとも送信するようにしてもよい。
【００３９】
本態様の照明装置の通信設定方法によれば、光信号にＩＤコードを含ませて送信することで、１つの光無線ＬＡＮ親機側通信部と複数の光無線ＬＡＮ子機側通信装置との間で通信設定する場合でも、光無線ＬＡＮ子機側通信装置及び外部機器側で自機宛の信号を判別できるので、個別の外部機器を特定して信号を送信できる。つまり、外部機器（光無線ＬＡＮ子機側通信装置）毎に個別の送信が可能になる。
【００４０】
（１１）好ましくは、本発明に係る照明装置の通信設定方法は、外部機器から第２の光信号を受信するステップでは、当該光信号に含まれる外部機器を認識可能なＩＤコードを少なくとも受信するようにしてもよい。
【００４１】
本態様の照明装置の通信設定方法によれば、光信号にＩＤコードを含ませたものを再度受信することで、１つの光無線ＬＡＮ親機側通信部と複数の光無線ＬＡＮ子機側通信装置との間で通信設定する場合でも、親機側で個別の外部機器との間のアップリンクの通信状況を確認することができ、外部機器毎の個別の受信が可能になる。
【発明の効果】
【００４２】
本発明の照明装置によれば、光無線ＬＡＮが設置される現場の親機と子機の配置に対応した１台の被設定子機の通信設定について、当該被設定子機と親機のみで通信設定が可能になる。従って、新規に光無線ＬＡＮを設置する場合だけでなく、各照明装置に設けられる光無線ＬＡＮの親機の変更、光無線ＬＡＮの子機の配置変更、及び光無線ＬＡＮに対する障害物の配置変更等がある場合でも、その現場の状況や変化に対応させて親機と通信設定する１台の被設定子機のみで柔軟に変更に対応でき、当該被設定子機を容易に通信設定することができる。
【図面の簡単な説明】
【００４３】
【図１】本発明の第１実施形態に係る照明装置をその周辺装置と共に示したブロック図である。
【図２】図１の照明装置の内部を示したブロック図である。
【図３】図１の照明装置の動作フローチャート（１／２）である。
【図４】図１の照明装置の動作フローチャート（２／２）である。
【図５】図１の周辺装置の環境変化により別の照明装置に光無線ＬＡＮ親機側通信部を追加した状態を示したブロック図である。
【図６】本発明の第２実施形態に係る照明装置をその周辺装置と共に示したブロック図である。
【図７】（ａ）は図６の照明装置の内部を示したブロック図であり、（ｂ）は（ａ）のＬＡＮ端子に接続される無線ＬＡＮ親機側装置を示すブロック図である。
【図８】本発明の第３実施形態に係る照明装置をその周辺装置と共に示したブロック図である。
【図９】（ａ）は本発明の第３実施形態に係る照明装置の内部を示したブロック図であり、（ｂ）は（ａ）のＵＳＢ端子に接続される無線ＬＡＮ親機側装置を示すブロック図であり、（ｃ）は（ａ）のＵＳＢ端子に接続される光無線ＬＡＮ親機側装置を示すブロック図である。
【図１０】（ａ）は本発明の第４実施形態に係る照明装置の内部を示したブロック図であり、（ｂ）は（ａ）のＵＳＢ端子に接続される無線ＬＡＮ／光無線ＬＡＮ親機側装置を示すブロック図であり、（ｃ）は（ａ）のＵＳＢ端子に接続される無線ＬＡＮリピータ装置を示すブロック図である。
【図１１】本発明の第４実施形態に係る照明装置をその周辺装置と共に示したブロック図である。
【図１２】（ａ）は本発明の第５実施形態に係る照明装置の内部を示したブロック図であり、（ｂ）は（ａ）のＵＳＢ端子に接続される無線ＬＡＮ親機側装置を示すブロック図であり、（ｃ）は（ａ）のＵＳＢ端子に接続される光無線ＬＡＮ親機側装置を示すブロック図である。
【図１３】比較用として従来の照明装置と光無線ＬＡＮ装置をその周辺装置と共に示したブロック図である。
【発明を実施するための形態】
【００４４】
まず最初に、汎用端子から、その汎用端子に接続された機器に給電できる場合について説明する。給電できる汎用端子としては、ＬＡＮ端子とＵＳＢ（Ｕｎｉｖｅｒｓａｌ  Ｓｅｒｉａｌ  Ｂｕｓ）端子がよく知られている。例えば、ＬＡＮ端子の場合、ＬＡＮ周辺機器における電源電力をＬＡＮケーブルとＬＡＮ端子から供給可能にするＰｏＥ（Ｐｏｗｅｒ  ｏｖｅｒ  Ｅｔｈｅｒｎｅｔ）機能は、ＩＥＥＥ８０２．３ａｆ−２００３として標準規格化されており、そのための受電アダプタが知られている。ＩＥＥＥ８０２．３ａｆでは、２心づつ４対合計８心の銅線のうち、２対（４心）を使って電力を供給しており、給電側の機器と受電側の機器の銅線のパターンが決められている。
【００４５】
また、ＬＡＮ端子の電源関係の仕様として、例えば、供給側機器は最大ＤＣ４８Ｖ／最大１５．４Ｗで給電でき、受電側機器は最大１２．９５Ｗを使用でき、コネクタは８極モジュラジャックであることが決められている。電流供給量の仕様は、最大電力仕様値／最大電圧仕様値から約０．３２Ａ程度となる。また、ＩＥＥＥ８０２．３ａｔでは、ＩＥＥＥ８０２．３ａｆの約倍の２５Ｗ〜３５Ｗ程度が給電／受電可能である。
【００４６】
また、ＵＳＢ端子の場合、ＵＳＢ周辺機器における電源電力をＵＳＢケーブルとＵＳＢ端子から供給可能にするＵＳＢバスパワー機能は、ＵＳＢ−ＩＦ（ＵＳＢ  Ｉｍｐｌｅｍｅｎｔｅｒｓ  Ｆｏｒｕｍ、  Ｉｎｃ．）の下で使用の策定や管理が行われて。ＵＳＢバスパワー機能の給電能力は、ＵＳＢ２．０で５００ｍＡ（５Ｖ）、ＵＳＢ３．０で最大９００ｍＡと限られており、電源供給能力は高くはないが、利便性に優れて周辺機器の接続には最も使用されている。
【００４７】
また、無線ＬＡＮ装置は、空間的に離間した親機と子機（１台以上）の間で、無線でＬＡＮの通信を可能にするものである。無線ＬＡＮの子機は、ノート型パーソナルコンピュータ等の拡張カードの統一規格であるＰＣカードスロット（Ｃａｒｄ  Ｂｕｓ：ＰＣＭＣＩＡ）に接続するタイプのカードバス接続型無線ＬＡＮアダプタと、パーソナルコンピュータ等のＵＳＢ端子に接続するタイプのＵＳＢ接続型無線ＬＡＮアダプタが知られている。無線ＬＡＮの子機は、無線ＬＡＮの親機に対応する通信方式（ＩＥＥＥ８０２．１１ａ／ｂ／ｇ等）のものを使用することで親機とＬＡＮ接続することができる。なお、ＰＣカードには、５Ｖ駆動のタイプと３．３Ｖ駆動のタイプがあり、ＰＣカードスロットからはその対応する電圧がカード側に供給される。また、光無線ＬＡＮ装置は、現状では研究段階であり、カードタイプ等にすることについては全く知られていないが、要素技術として知られている内容を組み合わせることで製造可能である。
【００４８】
＜第１実施形態＞
本発明の照明装置の第１実施形態は、照明装置の着脱自在な通信部が無線で建造物内の外部装置と通信する場合である。外部装置の外部というのは照明装置に対して離間した外部であり建造物にとっては内部になる。以下、第１の実施の形態の照明装置について、図１〜図５を用い、さらに、従来技術の図１３を比較用として用いて説明する。
【００４９】
（電源関係）
第１実施形態の照明装置５０１〜５０４は、建造物１００の内部で、天井又は壁面の上部に設置される。建造物１００は、家や事務所等の小規模の建造物でもよいが、広い面積を有して多くの照明装置５０１〜５０４を設置する工場やオフィス等が好ましい。建造物１００には、商用電源線２００から柱上トランス２１０等を経て室内の分電盤２３０に電源電力が供給される。分電盤２３０から建造物１００内の各照明装置５０１〜５０４や、建造物１００内の各外部装置１１１〜１１８にＡＣ１００Ｖ又はＡＣ２００Ｖ等で電力が供給される。各照明装置５０１〜５０４への電源電力は、直流電源装置２４１〜２４４を介して供給される。
【００５０】
照明装置５０１〜５０４は、直流電源装置２４１〜２４４に接続されている。直流電源装置２４１〜２４４は、建造物１００の天井裏等に配置されて、ＡＣ１００Ｖ又はＡＣ２００Ｖ等の電力から照明装置５０１〜５０４内の照明部５１０の点灯に適した電力を供給する。照明部５１０がＬＥＤ照明装置の場合、直流電源装置２４１〜２４４は、商用電源の交流１００ＶをＬＥＤ照明装置の点灯に適する直流の電圧値及び電流値に変換して供給する。
【００５１】
上記に示したように、各照明装置５０１〜５０４毎の各照明部５１０は、直流電源装置２４１〜２４４から直流の電力が供給されることで発光するＬＥＤ素子を用いている。ＬＥＤ素子は直流で駆動されるため、雑音を発生しないようにできる。
【００５２】
直流電源装置２４１〜２４４等の交流―直流変換回路（ＡＣ−ＤＣコンバータ）としては、（Ａ）トランスと整流・平滑回路を用いる方法、（Ｂ）シリーズレギュレータを用いる方法、（Ｃ）スイッチング電源を用いる方法があるが、スイッチング等の高周波ノイズを基本的に発生させない点では（Ａ）と（Ｂ）が好ましい。但し、（Ｃ）のスイッチング電源方式であっても、通信に影響するノイズ成分が充分に抑制されているＡＣ−ＤＣコンバータであれば使用することができる。
【００５３】
また、直流電源装置２４１〜２４４としては、熱損失を抑制でき、電圧のバラツキや温度変化による影響を低減できることからＬＥＤを効率よく点灯できる定電流回路が好ましい。特に高輝度（高出力）の場合は、定電流回路が必須となる。なお、図１では、各照明装置５０１〜５０４毎に、個別に直流電源装置２４１〜２４４を設けているが、直流電源装置２４１〜２４４は１個又は２個等にまとめてもよく、各照明装置５０１〜５０４に内蔵させてもよい。
【００５４】
照明装置５０１〜５０４の本体のみに点灯／消灯のＯＮ／ＯＦＦスイッチが設けられている場合には、直流電源装置２４１〜２４４から光無線ＬＡＮ親機側通信部９９２及び無線ＬＡＮ親機側通信部１０１２への電力供給経路５５２を、直流電源装置２４１〜２４４から照明部５１０への電力供給経路５５１とは独立させれば、消灯時にも通信装置６０１〜６０４への電力供給を確保することができる。
【００５５】
照明装置５０１〜５０４の本体とは別に壁体内の配線の途中に壁体から露出させて点灯／消灯のＯＮ／ＯＦＦスイッチが設けられている場合には、まず、照明装置５０１〜５０４への第１の電力供給経路は、分電盤２３０から壁体のＯＮ／ＯＦＦスイッチを経由して直流電源装置２４１〜２４４に接続され、さらに直流電源装置２４１〜２４４から各照明装置５０１〜５０４の直流電力の第１供給部５４１を介して、第１供給部５４１と照明部５１０を導電接続する第１配線材５５１により接続される。
【００５６】
一方、汎用端子５３１〜５３３への電力供給経路は、分電盤２３０から直流電源装置２４１〜２４４への配線が少なくとも壁体のＯＮ／ＯＦＦスイッチよりも電力供給の源流側に接続された独立回線を有し、直流電源装置２４１〜２４４から光無線ＬＡＮ親機側通信部９９２及び無線ＬＡＮ親機側通信部１０１２の直流電力の第２供給部５４２を介して、第２供給部５４２と光無線ＬＡＮ親機側通信部９９２及び無線ＬＡＮ親機側通信部１０１２を導電接続する第２配線材５５２により接続される。これにより、無線ＬＡＮ親機側通信部１０１２、及び、光無線ＬＡＮ親機側通信部９９２は、照明部５１０のＯＮ／ＯＦＦスイッチよりも電力供給の源流側に電源の配線が接続されるので、照明用の電力供給経路のＯＮ／ＯＦＦに関わらず、各通信部に安定した電力が供給される。
【００５７】
（通信線関係）
また、建造物１００には、電話回線等の通信線３００が、柱上装置３１０等を経て室内の回線終端装置３３０まで引き込まれる。通信線３００は、デジタル伝送の搬送が可能であれば、通常の電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線、光回線の何れであってもよいが、伝送量が多い場合や、早い伝送速度が必要な場合には光回線が好ましい。通信線３００は、インターネット等の通信回線網に接続され、当該回線網を介して遠隔地のサーバ又は他の端末装置３９０と通信することができる。
【００５８】
終端装置３３０は、光回線等の回線信号を電気信号に変換する。終端装置３３０は、音声信号とデータ信号を分離するスプリッタ、信号の変調／復調を行うモデム等を含むルータ（第１のルータ）３５０を介して、ＬＡＮ配線で、建造物１００内の照明装置５０２内の無線ＬＡＮ親機側通信部１０１２、及び、光無線ＬＡＮ親機側通信部９９２と接続される。なお、ＬＡＮ配線は、各照明装置５０１〜５０４内の無線ＬＡＮ親機側通信部１０１２、及び、光無線ＬＡＮ親機側通信部９９２と接続可能であるが、本実施形態は、ＬＡＮ配線の接続が照明装置５０２のみ有効である場合である。
【００５９】
つまり、各照明装置５０１〜５０４は同様な構成を有しているが、本実施形態では照明装置５０２のみが有効にＬＡＮ接続されている場合であり、その照明装置５０２について説明する。照明装置５０２は、照明部５１０と、ＬＡＮ回線網側接続部（ＬＡＮ端子）７３１と、無線ＬＡＮ親機側通信部１０１２と、光無線ＬＡＮ親機側通信部９９２と、制御部５８０を少なくとも有している。
【００６０】
本実施形態では通信線３００が建造物１００の室内の回線終端装置３３０に引き込まれた最初のルータ（第１のルータ）が有線ルータ３５０になっており、有線で各照明装置５０１〜５０４のＬＡＮ端子７３１と接続され、その結果、各照明装置５０１〜５０４内の無線ＬＡＮ親機側通信部１０１２、及び、光無線ＬＡＮ親機側通信部９９２と接続される。本実施形態の場合の無線ＬＡＮ親機側通信部１０１２、及び、光無線ＬＡＮ親機側通信部９９２は、図２に示したように照明装置５０２に装着される。
【００６１】
光無線ＬＡＮ親機側通信部９９２は、照明装置５０２における照明部５１０が配置される側と同じ側に、少なくとも発光部及び受光部が装着される。この配置により光無線ＬＡＮ親機側通信部９９２は、各外部装置１１１〜１１３側のＬＡＮ通信装置１３１〜１３３と直進性の強い光による通信を行うことができる。一方、無線ＬＡＮ親機側通信部１０１２は、無線電波は光と比較して障害物の反対側まで到達可能なことから、照明装置５０２における照明部５１０の発光部及び受光部が配置される側と同じ側に配置が限定されず、照明装置５０２における天井側等の任意の位置に配置することができる。
【００６２】
無線ＬＡＮ親機側通信部１０１２は、例えば、一般的な無線ＬＡＮルータ又は無線ＬＡＮブロードバンドルータと称される装置の機能を有している。光無線ＬＡＮ親機側通信部９９２は、上記した無線ＬＡＮルータが無線電波を通信媒体として用いて、各外部装置１１１〜１１３との間で信号を送受信するのに対して、例えば、可視光又は赤外光を通信媒体として用いて、各外部装置１１１〜１１３との間で信号を送受信する。
【００６３】
各照明装置５０１〜５０４内の直流電力変換部５２０は、照明部５１０に印加される直流の電力を、無線ＬＡＮ親機側通信部１０１２、及び、光無線ＬＡＮ親機側通信部９９２等で用いられる電力（電圧値）に変換して供給するＤＣ−ＤＣコンバータである。これにより、無線ＬＡＮ親機側通信部１０１２、及び、光無線ＬＡＮ親機側通信部９９２は、外部装置１１１〜１１３との通信が可能になる。
【００６４】
ＬＡＮ端子７３１は、ルータ３５０とのＬＡＮの通信線が接続される端子であり、ＬＡＮインターフェース部７１０は、有線ＬＡＮ回線で送受信される通信信号を、機器内部で処理可能な中間信号に変換することができる。中間信号は、さらに無線ＬＡＮインターフェース部１０２１により無線ＬＡＮ親機側通信部１０１２で送受信可能な信号に変換され、光無線ＬＡＮインターフェース部９２０により光無線ＬＡＮ親機側通信部９９２で送受信可能な信号に変換される。
【００６５】
照明部５１０は、直流の電力が供給されることで発光する素子を用いた照明手段であり、例えばＬＥＤ照明手段である。ＬＡＮ回線網側接続部（ＬＡＮ端子）７３１は、インターネット等の外部の通信回線網側のＬＡＮと接続される有線のルータ３５０と接続されている。
【００６６】
直流電力変換部５２０は、照明装置５０２の照明部５１０に印加される直流の電力を、無線ＬＡＮ親機側通信部１０１２、光無線ＬＡＮ親機側通信部９９２、及び、制御部５８０等で用いられる電力に変換する。
【００６７】
光無線ＬＡＮ親機側通信部９９２は、可視光又は赤外光等を通信媒体として利用する光無線ＬＡＮルータ等であり、外部機器１１１〜１１３が各々備える光無線ＬＡＮ子機側通信装置１３１〜１３３と通信が可能である。無線ＬＡＮ親機側通信部１０１２は、例えば、無線電波を通信媒体として利用する無線ＬＡＮルータ等であり、照明装置５０１から離間して設けられる例えばパーソナルコンピュータ等の各外部機器１１１〜１１３が各々備える無線ＬＡＮ子機側通信装置１２１〜１２３と通信が可能である。
【００６８】
制御部５８０は、例えば、マイクロプロセッサ、又は、ＣＰＵ等のように、無線ＬＡＮ親機側通信部１０１２と光無線ＬＡＮ親機側通信部９９２の動作を制御できるものである。制御部５８０は、例えば、先に無線ＬＡＮ親機側通信部１０１２により、外部機器１１１〜１１３が備える無線ＬＡＮ子機側通信装置１２１〜１２３と通信することで、外部機器１１１〜１１３が備える光無線ＬＡＮ子機側通信装置１３１〜１３３からＩＤ（各装置を個別に判別及び特定が可能な認識情報）等の光信号を送出させる。その後、光無線ＬＡＮ親機側通信部９９２で光無線ＬＡＮ子機側通信装置１３１〜１３３からの光信号が受信できた場合には、ＬＡＮ回線網との接続を無線ＬＡＮ親機側通信部１０１２から光無線ＬＡＮ親機側通信部９９２に切り替える制御を実施する。
【００６９】
外部装置１１１〜１１３は、照明装置５０１〜５０４の下側で、照明装置５０１〜５０４から離間した位置に配置されている。
【００７０】
無線ＬＡＮ親機側通信部１０１２及び光無線ＬＡＮ親機側通信部９９２は、外部装置１１１〜１１３と通信可能な構成であり、照明装置５０１〜５０４の本体に内蔵されている。無線ＬＡＮ親機側通信部１０１２及び光無線ＬＡＮ親機側通信部９９２は、各々規定された供給可能電力仕様値内の電力で通信可能であるように構成されている。これにより無線ＬＡＮ親機側通信部１０１２及び光無線ＬＡＮ親機側通信部９９２は、通信用の電力供給のために追加の電力供給部とその配線部が不要になり、製造が容易でコストを低下させることができる。
【００７１】
また、本実施形態の無線ＬＡＮ親機側通信部１０１２及び光無線ＬＡＮ親機側通信部９９２は、外部装置１１１〜１１３と、通信が可能であるように通信信号を変換する無線ＬＡＮの通信インターフェース部１０２１と光無線ＬＡＮの通信インターフェース部９２０とを有する。外部装置１１１〜１１３は、照明装置５０１〜５０４から離間しており、無線電波を用いる無線ＬＡＮ用の通信装置１２１〜１２３と、可視光又は赤外光等を用いる光無線ＬＡＮ用の通信装置１３１〜１３３が設けられている。従って、無線ＬＡＮ親機側通信部１０１２及び光無線ＬＡＮ親機側通信部９９２は、離間した外部装置１１１〜１１３と通信が可能である。
【００７２】
無線ＬＡＮ親機側通信部１０１２及び光無線ＬＡＮ親機側通信部９９２等は、照明装置５０１〜５０４側から直流の電源電力の供給を受けると共に、有線ＬＡＮのルータ３５０との通信が可能に接続することができる。この電源電力により、ＬＡＮインターフェース部７１０、無線ＬＡＮインターフェース部１０２１、光無線ＬＡＮインターフェース部９２０、及び、制御部５８０が駆動される。制御部５８０はＬＡＮインターフェース部７１０を介してＬＡＮのルータ３５０と通信でき、また、無線ＬＡＮインターフェース部１０２１又は光無線ＬＡＮインターフェース部９２０を介して外部装置１１１〜１１３と通信することができる。
【００７３】
また、図２のようなＬＡＮインターフェース部７１０とＬＡＮ端子７３１、無線ＬＡＮインターフェース部１０２１及び光無線ＬＡＮインターフェース部９２０を設けることで、各照明装置５０１〜５０４から離間する外部装置１１１〜１１３に設けられている無線ＬＡＮ子機側通信装置１２１〜１２３及び光無線ＬＡＮ用の通信装置１３１〜１３３と、図２の照明装置５０２を介する有線でのＬＡＮのルータ３５０の双方との通信が可能であるように通信信号を変換することができる。これにより、離間する外部装置１１１〜１１３だけでなく、ＬＡＮのルータ３５０を介してＬＡＮ接続された他の機器とも通信することができる。
【００７４】
また、一般的に、無線ＬＡＮよりも光無線ＬＡＮの方が通信情報量を多くできるが、光無線ＬＡＮの方が到達距離が短く、光の直進性により障害物に弱い。本実施形態では、無線ＬＡＮを光無線ＬＡＮの通信設定に利用することで、その通信設定を容易にするものであるが、同時に使用できることで、例えば、通常は回線の情報量が多い光無線ＬＡＮを使用し、模様替えや引っ越し等による外部装置の移動、新規外部装置の追加設置時等の設定変更時、故障時や緊急時には無線ＬＡＮに瞬時に切り替えることができ、設定の変更も容易にできるので、ＬＡＮの使いかってを良くし、安全性を高めることができる。
【００７５】
次に、図１〜図２に示した本実施形態に係る照明装置５０２の通信設定方法について、図３と図４を用いて説明する。まず、無線ＬＡＮ親機側通信部１０１２と光無線ＬＡＮ親機側通信部９９２とを有して、直流の電力が供給されることで発光するＬＥＤ素子を用いた照明装置５０２は、そのＬＡＮ端子７３１が、ＬＡＮケーブル３５２により有線ＬＡＮのルータ（第１のルータ）３５０と接続される（Ｓ１）。
【００７６】
制御部５８０は、無線ＬＡＮ親機側通信部１０１２に光信号の送出指示を出す（Ｓ２）。無線ＬＡＮ親機側通信部１０１２は、ステップＳ２の指示に基づいて、照明装置５０２から離間する外部機器１１１〜１１３が備える無線ＬＡＮ子機側通信装置１２１〜１２３と無線電波の信号で通信し、例えば、相手の外部機器１１１〜１１３が備える無線ＬＡＮ子機側通信装置１２１〜１２３に光信号を送出させる指示を送信し（Ｓ３）、その外部機器１１１〜１１３が備える無線ＬＡＮ子機側通信装置１２１〜１２３から光信号の送信が終了したことを受信する。その際に各外部機器１１１〜１１３を判別して特定するためのＩＤ情報も受信する（Ｓ４）。
【００７７】
一方、外部機器１１１は、無線ＬＡＮ子機側通信装置１２１により、無線ＬＡＮ親機側通信部１０１２からの光信号の送出指示を受信すると、光無線ＬＡＮ子機側通信装置１３１から第１の光信号を送出させる。照明装置５０２の光無線ＬＡＮ親機側通信部９９２は、光無線ＬＡＮ子機側通信装置１３１から第１の光信号を受信動作を実施し、受信結果を制御部５８０に出力する。また、光無線ＬＡＮ親機側通信部９９２では、子機側光無線ＬＡＮ用通信装置１３１から第２の光信号が受信できない場合にも、その受信結果が制御部５８０に出力される。その際に各外部機器１１１〜１１３を判別して特定するためのＩＤ情報も受信する（Ｓ５）。
【００７８】
照明装置５０２の制御部５８０は、光無線ＬＡＮ親機側通信部９９２で光無線ＬＡＮ子機側通信装置１３１から第１の光信号を受信したか否かを判断し（Ｓ６）、受信できない場合（Ｓ６：ＮＯ）には、受信エラー又は光通信環境を改善させる指示を無線ＬＡＮ親機側通信部１０１２に出力し（Ｓ７）、無線ＬＡＮ親機側通信部１０１２はその指示を外部機器１１１〜１１３が備える無線ＬＡＮ子機側通信装置１２１〜１２３へ出力する。その際に、例えば、外部機器１１１を指定する場合には、ステップＳ４又はＳ５で受信した各外部機器１１１を判別して特定するためのＩＤ情報を用いて指定する。
【００７９】
それにより、無線ＬＡＮ子機側通信装置１２１は、その改善指示を無線電波の信号で無線ＬＡＮ親機側通信部１０１２から外部機器１１１〜１１３へ出力する。つまり、制御部５８０は、例えば、無線ＬＡＮ親機側通信部１０１２により外部機器１１１〜１１３が備える無線ＬＡＮ子機側通信装置１２１〜１２３に向けて、例えば、「受信エラー又は外部機器１１１の光無線ＬＡＮ子機側通信装置１３１と光無線ＬＡＮ親機側通信部９９２との間の光通信環境を改善させる指示」を出力する（Ｓ８）。
【００８０】
制御部５８０が、ステップＳ８の無線ＬＡＮ親機側通信部１０１２に受信エラー又は外部機器１１１の光無線ＬＡＮ子機側通信装置１３１の配置及び通信環境の改善指示を出すと、無線ＬＡＮ親機側通信部１０１２は、ステップＳ８の指示に基づいて、照明装置５０２から離間する外部機器１１１〜１１３が備える無線ＬＡＮ子機側通信装置１２１〜１２３と無線電波の信号で通信し、例えば、相手の外部機器１１１に光信号の送受信に良い環境に変える指示を送信し、その外部機器１１１から無線電波の信号で改善の終了したことを受信し、制御部５８０に通知する（Ｓ９）。
【００８１】
制御部５８０は、無線ＬＡＮ親機側通信部１０１２で受信した内容から、光無線ＬＡＮ子機側通信装置１３１と光無線ＬＡＮ親機側通信部９９２との間の通信環境の改善が終了したか否かを判断し（Ｓ１０）、改善できない場合（Ｓ１０：ＮＯ）には、ステップＳ８に戻り、改善できた場合（Ｓ１０：ＹＥＳ）には、ステップＳ２に戻り外部機器に対して光信号を再送させ、上記各ステップＳ２〜Ｓ６を繰り返させるステップを有する。
【００８２】
また、照明装置５０２の制御部５８０は、光無線ＬＡＮ親機側通信部９９２で光無線ＬＡＮ子機側通信装置１３１から第１の光信号を受信できた場合（Ｓ６：ＹＥＳ）には、ＬＡＮ回線網との接続を、無線ＬＡＮ親機側通信部１０１２から光無線ＬＡＮ親機側通信部９９２に切り替える（Ｓ１１）。上記のステップＳ６がＹＥＳであることによりアップリンクの接続が確認できたので、次にダウンリンクの接続確認のために、制御部５８０は、光無線ＬＡＮ親機側通信部９９２に外部機器１１１に光信号の送出指示を出す（Ｓ１２）。すると光無線ＬＡＮ親機側通信部９９２は、外部機器１１１の光無線ＬＡＮ子機側通信装置１３１に向けて光信号を送信する（Ｓ１３）。外部機器１１１の指定は、ステップＳ４又はＳ５で受信した各外部機器１１１を判別して特定するためのＩＤ情報を送信すれば、受信側でどの外部機器が対応しているかの特定が可能になる。
【００８３】
制御部５８０が、ステップＳ１３で光無線ＬＡＮ親機側通信部９９２から光信号を送信した後に、光無線ＬＡＮ親機側通信部９９２では、子機側光無線ＬＡＮ用通信装置１３１から第２の光信号が受信され、その受信結果が制御部５８０に出力される。また、光無線ＬＡＮ親機側通信部９９２では、子機側光無線ＬＡＮ用通信装置１３１から第２の光信号が受信できない場合にも、その受信結果が制御部５８０に出力される。その際に各外部機器１１１〜１１３を判別して特定するためのＩＤ情報も受信する（Ｓ１４）。
【００８４】
照明装置５０２の制御部５８０は、光無線ＬＡＮ親機側通信部９９２で光無線ＬＡＮ子機側通信装置１３１から第２の光信号を受信したか否かを判断し（Ｓ１５）、受信できない場合（Ｓ１５：ＮＯ）には、受信エラー又は光通信環境を改善させる指示を無線ＬＡＮ親機側通信部１０１２に出力し（Ｓ１６）、無線ＬＡＮ親機側通信部１０１２は外部機器１１１が備える無線ＬＡＮ子機側通信装置１２１へ出力する。その際に、例えば、外部機器１１１を指定する場合には、ステップＳ４又はＳ５で受信した各外部機器１１１〜１１３を判別するためのＩＤ情報を用いて指定する。
【００８５】
それにより、無線ＬＡＮ子機側通信装置１２１は、その改善指示を無線電波の信号で無線ＬＡＮ親機側通信部１０１２から外部機器１１１へ出力する。つまり、制御部５８０は、例えば、無線ＬＡＮ親機側通信部１０１２により外部機器１１１〜１１３が備える無線ＬＡＮ子機側通信装置１２１に向けて、例えば、「受信エラー又は外部機器１１１の光無線ＬＡＮ子機側通信装置１３１と光無線ＬＡＮ親機側通信部９９２との間の光通信環境を改善させる指示」を出力する（Ｓ１７）。
【００８６】
制御部５８０が、ステップＳ１７の無線ＬＡＮ親機側通信部１０１２に受信エラー又は外部機器１１１の光無線ＬＡＮ子機側通信装置１３１の配置及び通信環境の改善指示を出すと、無線ＬＡＮ親機側通信部１０１２は、ステップＳ１７の指示に基づいて、照明装置５０２から離間する外部機器１１１が備える無線ＬＡＮ子機側通信装置１２１と無線電波の信号で通信し、例えば、相手の外部機器１１１に光信号の送受信に良い環境に変える指示を送信し、その外部機器１１１から無線電波の信号で改善の終了したことを受信し、制御部５８０に通知する（Ｓ１８）。
【００８７】
制御部５８０は、無線ＬＡＮ親機側通信部１０１２で受信した内容から、光無線ＬＡＮ子機側通信装置１３１と光無線ＬＡＮ親機側通信部９９２との間の通信環境の改善が終了したか否かを判断し（Ｓ１９）、改善できない場合（Ｓ１９：ＮＯ）には、ステップＳ１７に戻り、改善できた場合（Ｓ１９：ＹＥＳ）には、ステップＳ１２に戻り外部機器に対して光信号を再送させ、上記各ステップＳ１２〜Ｓ１５を繰り返させるステップを有する。
【００８８】
なお、上記の無線電波による無線通信、可視光又は赤外光等による光無線通信では、送信側の機器及び／又は受信側の機器を判別及び特定するために、各機器毎に固有のＩＤ情報が設定されており、各機器間の通信時には、その送信データ及び受信データ中に、送信側の機器及び受信側の機器を示すＩＤ情報が含まれていることとする。
【００８９】
以上のような本実施形態の照明装置５０１〜５０４に対して、図１３に示した従来の各照明装置２１０１〜２１０４では、内蔵された光無線ＬＡＮ用の通信装置９９２のみで外部装置１１１〜１１３の光無線ＬＡＮ用の通信装置１３１〜１３３と通信して光無線ＬＡＮ回線を設定する。通信不能であれば、外部装置１１１〜１１３と光無線ＬＡＮ用の通信装置１３１〜１３３を通信条件が改善されると考えられる場所に移動して、再度、通信装置９９２との通信を試みる。通信装置９９２の親機としての機能の設定は、例えば、ルータ３５０に携帯型のノートパソコン１０１等を接続し、ノートパソコン１０１で照明装置２１０２に内蔵された光無線ＬＡＮ用の通信装置９９２を制御すればよい。また、機能をオフさせるだけの場合には、例えば、良好に通信が可能な他の子機側の光無線ＬＡＮ用通信装置１３１〜１３３及びそれと接続する外部装置１１１〜１１３を用いて行うことができる。
【００９０】
また、例えば、図５に示したように、光無線ＬＡＮ親機側通信部９９２と光無線ＬＡＮ子機側通信装置１３３との間に、配置変更等により障害物１５０が形成された場合、光無線ＬＡＮ親機側通信部９９２と光無線ＬＡＮ子機側通信装置１３３との間は、光無線ＬＡＮでは接続できなくなる。この場合、光無線ＬＡＮ子機側通信装置１３３の上側で障害物１５０の影響を受けない照明装置５０４の無線ＬＡＮ親機側通信部１０１４と光無線ＬＡＮ親機側通信部９９４を起動させ、上記のステップＳ１〜Ｓ１９の通信設定方法と同様な方法により光無線ＬＡＮ親機側通信部９９４と通信装置１３３との間の光無線ＬＡＮを通信設定すればよい。また、無線ＬＡＮ親機側通信部１０１２と無線ＬＡＮ子機側通信装置１２３との間は、無線ＬＡＮで接続することができ、照明装置５０１〜５０４は有線ＬＡＮで接続されているので、無線による通信設定は、無線ＬＡＮ親機側通信部１０１２と無線ＬＡＮ子機側通信装置１２３との間の無線通信を用いてもよい。
【００９１】
以上のように本実施形態の照明装置の通信設定方法によれば、先に照明装置５０２の無線ＬＡＮで外部機器１１１と通信して外部機器１１１から光信号を出力させ、光無線ＬＡＮ親機側通信部９９２で外部機器１１１から第１の光信号を受信することで、外部機器１１１からの光信号が障害により遮られること無く受信が可能であることがわかる。また、光信号が受信できない場合に、照明装置５０２と外部機器１１１との間の遮蔽物等の通信路の環境を改善する必要があることがわかることで、外部機器１１１の通信設定を容易にすることができる。また、光信号が受信できた場合には、ＬＡＮ回線網との接続を光無線ＬＡＮに切り替えることで、通信速度と通信効率を高めることができる。
【００９２】
また、本実施形態の照明装置の通信設定方法によれば、無線ＬＡＮで外部機器１１１と通信して外部機器１１１から光信号を出力させた後に、光無線ＬＡＮ親機側通信部９９２で光信号の送信を実施することで、外部機器１１１に光信号の送信も可能であることがわかる。さらに、光無線ＬＡＮ親機側通信部９９２で第２の光信号を受信することで、外部機器１１１からの光信号の受信が再確認でき通信リンクが安定してることが確認できる。このようにして光無線ＬＡＮの通信設定を容易に実施できる。
【００９３】
また、本実施形態の照明装置の通信設定方法によれば、光信号にＩＤコードを含ませることで、１つの照明装置５０２と複数の外部機器１１１〜１１３との間で通信設定する場合でも、個別の外部機器１１１〜１１３との間のアップリンクの通信状況を確認でき、外部機器１１１〜１１３毎に個別に通信信号の形式、認証方法、暗号化キー等を設定できるので、親機側で個別の外部機器からの信号受信が可能になる。
【００９４】
また、本実施形態の照明装置の通信設定方法によれば、光信号にＩＤコードを含ませて送信することで、１つの光無線ＬＡＮ親機側通信部９９２と複数の光無線ＬＡＮ子機側通信装置１３１〜１３３との間で通信設定する場合でも、光無線ＬＡＮ子機側通信装置１３１及び外部機器１１１側で自機宛の信号を判別できるので、個別の外部機器を特定して信号を送信できる。つまり、外部機器１１１〜１１３（光無線ＬＡＮ子機側通信装置１３１〜１３３）毎に個別の送信が可能になる。
【００９５】
また、本実施形態の照明装置の通信設定方法によれば、光信号にＩＤコードを含ませたものを再度受信することで、１つの光無線ＬＡＮ親機側通信部９９２と複数の光無線ＬＡＮ子機側通信装置１３１〜１３３との間で通信設定する場合でも、親機側で個別の外部機器１１１〜１１３との間のアップリンクの通信状況を再度確認することができ、外部機器１１１〜１１３毎の個別の受信が可能になる。
【００９６】
また、本実施形態の照明装置５０１〜５０４によれば、照明装置５０１〜５０４に無線ＬＡＮと光無線ＬＡＮの両方の機能を備えて、設置時やレイアウト変更時には無線ＬＡＮ通信で光無線ＬＡＮ信号の送受信が可能かを確認し、可能であれば光無線ＬＡＮに切り替えることで、室内の複数の照明装置５０１〜５０４に付属の光無線ＬＡＮの設定及びレイアウト変更後の通信設定を容易にすることができる。そして、光無線ＬＡＮ信号を受信可能に通信設定後は、光無線ＬＡＮのみで高速大容量通信が可能になる。
【００９７】
また、本実施形態の照明装置５０１〜５０４によれば、照明装置用電源電力を無線ＬＡＮと光無線ＬＡＮの電源電力に変換して供給する変換部５２０を備えており、光無線ＬＡＮ子機側通信装置１３１〜１３３等の設置時やレイアウト変更時には、まず無線ＬＡＮ通信で光無線ＬＡＮ信号の送受信が可能かを確認し、可能であることが確認できたら、無線ＬＡＮを光無線ＬＡＮに切り替えることで、室内の複数の照明装置５０１〜５０４に付属する光無線ＬＡＮの設定及びレイアウト変更後の通信設定を容易にでき、光無線ＬＡＮの高い通信速度を容易に利用できる。
【００９８】
また、本実施形態の照明装置５０１〜５０４によれば、各通信部の電源２４１〜２４４の接続配線を、照明スイッチよりも電源供給の上流側に接続することで、照明ＯＦＦ時にもＬＡＮの通信を可能にすることができる。
【００９９】
以上のように、本実施形態の照明装置によれば、光無線ＬＡＮが設置される現場の親機と子機の配置に対応した１台の被設定子機の通信設定について、当該被設定子機と親機のみで通信設定が可能になる。従って、新規に光無線ＬＡＮを設置する場合だけでなく、各照明装置に設けられる光無線ＬＡＮの親機の変更、光無線ＬＡＮの子機の配置変更、及び光無線ＬＡＮに対する障害物の配置変更等がある場合でも、その現場の状況や変化に対応させて親機と通信設定する１台の被設定子機のみで柔軟に変更に対応でき、当該被設定子機を容易に通信設定することができる。
【０１００】
＜第２実施形態＞
上記した第１実施形態では、各照明装置の内部に無線ＬＡＮ親機側通信部１０１２と光無線ＬＡＮ用の通信装置９９２を内蔵させた場合を示した。一般的に、無線ＬＡＮよりも光無線ＬＡＮの方が通信情報量を多くできるので、光無線ＬＡＮの通信が可能になった後には、無線ＬＡＮは使用されなくなる。全ての照明装置に無線ＬＡＮと光無線ＬＡＮの双方の機能を保有させることは、各照明装置のコストを必要以上に増大させる。そこで、第２実施形態では、無線ＬＡＮ親機側通信部を照明装置に着脱自在にする場合について説明する。また、第１実施形態の有線ＬＡＮ側にＰＬＣ方式を用いる場合を説明する。なお、本実施形態の図中の第１実施形態と同様な構成については同じ符号を付与し、重複する説明を省略する。
【０１０１】
図６、図７に示した第２実施形態では、通信線３００の回線終端装置３３０と接続されたＰＬＣアダプタ２５０により、有線ＬＡＮの通信信号が電灯線に重ね合わされ、直流電源装置２４１〜２４４と接続されたＰＬＣアダプタ（ＰＬＣモデム）２６１〜２６４により、電灯線から有線ＬＡＮの通信信号が抽出され、照明装置６０１〜６０４に入力される。
【０１０２】
本実施形態の無線ＬＡＮ親機側通信部９９２を含む有線／無線ＬＡＮ装置である無線ＬＡＮ親機側通信部２０２２は、照明装置６０２に着脱可能な通信部側のＬＡＮ端子１０８１を有し、照明装置６０２は、少なくとも無線ＬＡＮ親機側通信部２０２２を着脱可能な照明装置側のＬＡＮ端子７３２〜７３４を有し、その照明装置側のＬＡＮ端子７３２〜７３４は、接続された通信部に電源電力を供給する。
【０１０３】
なお、図６、図７では、照明装置６０２の汎用端子（ＬＡＮ端子）７３２〜７３４に無線ＬＡＮ親機側通信部２０２２を接続しているが、実際の無線ＬＡＮの通信範囲毎に無線ＬＡＮの親機を設置するので、必要に応じて、照明装置６０１、６０３、６０４に無線ＬＡＮ親機側通信部２０２２を接続してもよい。例えば、現地の状況における無線ＬＡＮの通信範囲を確認し、その通信が確実な領域の端部近辺の照明装置６０１、６０３、６０４に無線ＬＡＮ親機側通信部２０２２を接続すればよい。そして、光無線ＬＡＮ親機側通信部９９２の設定が終了すれば、無線ＬＡＮ親機側通信部２０２２は取り外してもよい。このようにして、親機の設備コスト及び施工コストを抑制でき、配置変更等によって親機の光無線ＬＡＮ親機側通信部９９２からの光無線ＬＡＮ信号を受信できない領域ができた場合には、再度、無線ＬＡＮ親機側通信部２０２２を用いて、容易に再設定することができる。
【０１０４】
各照明装置６０１〜６０４は、汎用端子であるジャック側のＬＡＮ端子７３１〜７３３を有している。各ＬＡＮ端子７３１〜７３３は、無線ＬＡＮ親機側通信部２０２２のＬＡＮ端子１０８１を接続可能である。ジャック側のＬＡＮ端子７３１〜７３３は、無線ＬＡＮ親機側通信部２０２２にＬＡＮ端子１０８１を介して電源電力を供給可能である。第２ルータ部９１０はＬＡＮ端子７３１〜７３４にＬＡＮの通信信号を振り分けることができる。このように端子を複数にすることで、例えば、無線ＬＡＮ親機側通信部２０２２とは異なる方式のＬＡＮ通信装置と通信接続することができる。
【０１０５】
ジャック側のＬＡＮ端子７３１〜７３３及びプラグ側のＬＡＮ端子１０８１は、汎用の端子であるので、無線ＬＡＮ親機側通信部２０２２の着脱が容易である。そのため、ジャック側のＬＡＮ端子７３１〜７３３に、無線ＬＡＮ親機側通信部２０２２を装着するか否かは、各照明装置６０１〜６０４の設置現場で通信状況や光無線ＬＡＮの通信可能領域を現場で確認しながら、それに適応するように決定することができる。また、その室内の配置換え等の度に、無線ＬＡＮ親機側通信部２０２２を任意の照明装置に装着して、どの照明装置の光無線ＬＡＮ親機側通信部９９２を用いるか否かを、現場で通信状況を確認しながら決定することができる。その他の構成は第１実施形態と同様である。
【０１０６】
照明装置６０１〜６０４にＬＡＮ端子７３１から入った通信信号は、例えば、図７（ａ）のＬＡＮ端子７３１から第２ルータ部９１０を経由してＬＡＮ端子７３２〜７３４に達する。図７（ｂ）の無線ＬＡＮ親機側通信部２０２２は、例えば、ＬＡＮ端子７３２に接続されていることとする。ＬＡＮ端子７３２〜７３４に達した通信信号は、無線ＬＡＮ親機側通信部２０２２のＬＡＮ端子１０８１からＬＡＮインターフェース部７１０、無線ＬＡＮインターフェース部１０２１を介して、無線ＬＡＮ親機側通信部１０２２により、離間した外部装置１１１〜１１３に到達する。
【０１０７】
無線ＬＡＮ親機側通信部２０２２は、外部装置１１１〜１１３と通信可能な構成であり、プラグ側のＬＡＮ端子１０８１を有している。無線ＬＡＮ親機側通信部２０２２は、各ＬＡＮ端子７３１〜７３４に規定された供給可能電力仕様値内の電力で通信可能であるように構成されている。これにより無線ＬＡＮ親機側通信部２０２２は、通信用の電力供給のために追加の電力供給部とその配線部が不要になり、製造が容易でコストを低下させることができる。
【０１０８】
また、本実施形態の無線ＬＡＮ親機側通信部２０２２は、外部装置１１１〜１１３と、通信が可能であるように通信信号を変換する無線ＬＡＮの通信インターフェース部１０２１と光無線ＬＡＮの通信インターフェース部９２０とを有する。外部装置１１１〜１１３は、照明装置５０１〜５０４から離間しており、無線電波を用いる無線ＬＡＮ用の通信装置１２１〜１２３と、可視光又は赤外光等を用いる光無線ＬＡＮ用の通信装置１３１〜１３３が設けられている。従って、無線ＬＡＮ親機側通信部２０２２は、離間した外部装置１１１〜１１３と通信が可能である。
【０１０９】
無線ＬＡＮ親機側通信部２０２２は、照明装置６０１〜６０４側から直流の電源電力の供給を受けると共に、第２ルータ部９１０を経由して有線ＬＡＮのルータ３５０との通信が可能に接続することができる。この電源電力により、無線ＬＡＮ親機側通信部２０２２側では、ＬＡＮインターフェース部７１０、無線ＬＡＮインターフェース部１０２１及び無線ＬＡＮ親機側通信部１０２２が駆動され、照明装置６０２側では、光無線ＬＡＮ親機側通信部９９２、第２ルータ部９１０、光無線ＬＡＮインターフェース部９２０、及び、制御部５８０が駆動される。制御部５８０は第２ルータ部９１０を介してＰＬＣアダプタ２５０と通信でき、また、無線ＬＡＮインターフェース部１０２１及び無線ＬＡＮ親機側通信部１０２２を介してか、又は、光無線ＬＡＮインターフェース部９２０及び光無線ＬＡＮ親機側通信部９９２を介して、外部装置１１１〜１１３と通信することができる。
【０１１０】
このように本実施形態では、照明装置が設置される現場に合わせて光無線ＬＡＮの通信可能領域を設定したり、現場の機材等の配置変更や領域変更に対応する光無線ＬＡＮの親機やリピータの設置変更を柔軟に実施できることに加え、設置時やレイアウト変更時等の通信設定時のみ照明装置に無線ＬＡＮ親機側通信部を取り付け、全ての照明装置には無線ＬＡＮ親機側通信部を設置しなくてよいようにできるので、設置時にコストダウンすることができる。また、光無線ＬＡＮの設定、追加設置、取り外し等を現場の状況に合わせて実施することができる。また、本態様の照明装置によれば、ＰＬＣアダプタ（ＰＬＣモデム）２６１〜２６４を用いても、照明装置が設置される現場に合わせて光無線ＬＡＮの通信可能領域を設定したり、現場の機材等の配置変更や領域変更に対応する光無線ＬＡＮの親機やリピータの設置変更を柔軟に実施できる。
【０１１１】
＜第３実施形態＞
上記した第２実施形態では、各照明装置の内部に光無線ＬＡＮ用の通信装置９９２を内蔵させ無線ＬＡＮ親機側通信部１０１２は、汎用端子により着脱自在に構成した場合を示したが、例えば、照明装置が密に配置されており、一台の照明装置７０２に備えられた光無線ＬＡＮ用の通信装置９９２により外部装置１１１〜１１３と通信が可能である場合には、他の照明装置７０１、７０３、７０４に備えられた光無線ＬＡＮ用の通信装置９９１、９９３、９９４は使用しないことになる。その場合、全ての照明装置に光無線ＬＡＮの機能を保有させることは、各照明装置のコストを必要以上に増大させる。そこで、第３実施形態では、第２実施形態の無線ＬＡＮ親機側通信部に加えて、光無線ＬＡＮ親機側通信部を照明装置に着脱自在にする場合について説明する。なお、本実施形態の図中の第１実施形態及び第２実施形態と同様な構成については同じ符号を付与し、重複する説明を省略する。
【０１１２】
図８、図９に示した第３実施形態の無線ＬＡＮ親機側通信部１０２２を含む有線／無線ＬＡＮ装置２０３２は、照明装置７０２に着脱可能な通信部側のＵＳＢ端子１０４１を有し、照明装置７０２は、少なくとも有線／無線ＬＡＮ装置２０３２を着脱可能な照明装置側のＵＳＢ端子５３１〜５３３を有し、その照明装置側のＵＳＢ端子５３１〜５３３は、接続された通信部に電源電力を供給する。
【０１１３】
なお、図８、図７では、照明装置７０２の汎用端子（ＵＳＢ端子５３１〜５３３）に無線ＬＡＮ親機側通信装置２０３２及び光無線ＬＡＮ親機側通信装置３０３２を接続しているが、実際の無線ＬＡＮ及び光無線ＬＡＮの通信範囲毎に無線ＬＡＮの親機を設置するので、必要に応じて、照明装置７０１、７０３、７０４に無線ＬＡＮ親機側通信装置２０３２及び／又は光無線ＬＡＮ親機側通信装置３０３２を接続してもよい。例えば、現地の状況における無線ＬＡＮ及び光無線ＬＡＮの通信範囲を確認し、その通信が確実な領域の端部近辺の照明装置７０１、７０３、７０４に無線ＬＡＮ親機側通信装置２０３２及び／又は光無線ＬＡＮ親機側通信装置３０３２を接続すればよい。そして、光無線ＬＡＮ親機側通信装置３０３２の設定が終了すれば、無線ＬＡＮ親機側通信装置２０３２は取り外してもよい。このようにして、親機の設備コスト及び施工コストを抑制でき、配置変更等によって親機の光無線ＬＡＮ親機側通信装置３０３２からの光無線ＬＡＮ信号を受信できない領域ができた場合には、再度、無線ＬＡＮ親機側通信装置２０３２を用いて、容易に再設定することができる。従って、照明装置のコストを安くして、親機を増設／配置変更する場合には、容易に増設／配置変更することができ、外部装置１１１〜１１３の配置変更や増設にも容易に対応できる。
【０１１４】
各照明装置７０１〜７０４は、汎用端子であるジャック側のＵＳＢ端子５３１〜５３３を有している。各ＵＳＢ端子５３１〜５３３は、無線ＬＡＮ親機側通信装置２０３２と光無線ＬＡＮ親機側通信装置３０３２の各ＵＳＢ端子１０４１を接続可能である。ジャック側のＵＳＢ端子５３１〜５３３は、無線ＬＡＮ親機側通信装置２０３２と光無線ＬＡＮ親機側通信装置３０３２にＵＳＢ端子１０４１を介して電源電力を供給可能である。
【０１１５】
ジャック側のＵＳＢ端子５３１〜５３３及びプラグ側のＵＳＢ端子１０４１は、汎用の端子であるので、無線ＬＡＮ親機側通信装置２０３２と光無線ＬＡＮ親機側通信装置３０３２の着脱が容易である。そのため、ジャック側のＵＳＢ端子５３１〜５３３に、無線ＬＡＮ親機側通信装置２０３２及び／又は光無線ＬＡＮ親機側通信装置３０３２を装着するか否かは、各照明装置７０１〜７０４の設置現場で通信状況や光無線ＬＡＮの通信可能領域を現場で確認しながら、それに適応するように決定することができる。また、その室内の配置換え等の度に、無線ＬＡＮ親機側通信装置２０３２を任意の照明装置に装着して、どの照明装置に光無線ＬＡＮ親機側通信装置３０３２を増設するか否かを、現場で通信状況を確認しながら決定することができる。その他の構成は第１〜２実施形態と同様である。
【０１１６】
照明装置７０１〜７０４にＬＡＮ端子７３１から入った通信信号は、例えば、図９（ａ）のＵＳＢ端子５３１からＬＡＮインターフェース部７１０、汎用通信インターフェース部７２０を経由してＵＳＢ端子５３１〜５３３に達する。図９（ｂ）の有線／無線ＬＡＮ装置２０３２は、例えば、ＵＳＢ端子５３１に接続されていることとする。ＵＳＢ端子５３１に達した通信信号は、有線／無線ＬＡＮ装置２０３２のＵＳＢ端子１０４１からＵＳＢ等の汎用通信インターフェース部１０５１、無線ＬＡＮインターフェース部１０２１を介して、無線ＬＡＮ親機側通信部１０２２により、離間した外部装置１１１〜１１３に到達する。また、ＵＳＢ端子５３１に達した通信信号は、有線／光無線ＬＡＮ装置３０３２のＵＳＢ端子１０４１からＵＳＢ等の汎用通信インターフェース部１０５１、光無線ＬＡＮインターフェース部１０６１を介して、光無線ＬＡＮ親機側通信部１０７１により、離間した外部装置１１１〜１１３に到達する。
【０１１７】
無線ＬＡＮ親機側通信装置２０３２及び／又は光無線ＬＡＮ親機側通信装置３０３２は、外部装置１１１〜１１３と通信可能な構成であり、プラグ側のＵＳＢ端子１０４１を有している。無線ＬＡＮ親機側通信装置２０３２及び／又は光無線ＬＡＮ親機側通信装置３０３２は、各ＵＳＢ端子５３１〜５３３に規定された供給可能電力仕様値内の電力で通信可能であるように構成されている。これにより無線ＬＡＮ親機側通信装置２０３２及び／又は光無線ＬＡＮ親機側通信装置３０３２は、通信用の電力供給のために追加の電力供給部とその配線部が不要になり、製造が容易でコストを低下させることができる。
【０１１８】
また、本実施形態の無線ＬＡＮ親機側通信装置２０３２及び／又は光無線ＬＡＮ親機側通信装置３０３２は、外部装置１１１〜１１３と、通信が可能であるように通信信号を変換する無線ＬＡＮの通信インターフェース部１０２１及び／又はと光無線ＬＡＮの通信インターフェース部１０６１とを有する。外部装置１１１〜１１３は、照明装置７０１〜７０４から離間しており、無線電波を用いる無線ＬＡＮ用の通信装置１２１〜１２３と、可視光又は赤外光等を用いる光無線ＬＡＮ用の通信装置１３１〜１３３が設けられている。従って、無線ＬＡＮ親機側通信装置２０３２及び／又は光無線ＬＡＮ親機側通信装置３０３２は、離間した外部装置１１１〜１１３と通信が可能である。
【０１１９】
無線ＬＡＮ親機側通信装置２０３２及び／又は光無線ＬＡＮ親機側通信装置３０３２は、照明装置７０１〜７０４側から直流の電源電力の供給を受けると共に、ＬＡＮインターフェース部７１０を経由して有線ＬＡＮのルータ３５０との通信が可能に接続することができる。この電源電力により、無線ＬＡＮ親機側通信装置２０３２及び／又は光無線ＬＡＮ親機側通信装置３０３２側では、汎用通信インターフェース部１０５１、無線ＬＡＮインターフェース部１０２１及び光無線ＬＡＮ親機側通信部１０７１が駆動され、照明装置７０２側では、ＬＡＮインターフェース部７１０、汎用通信インターフェース部７２０、及び、制御部５８０が駆動される。制御部５８０はＬＡＮインターフェース部７１０を介して有線ＬＡＮのルータ３５０と通信でき、また、汎用通信インターフェース部７２０、汎用通信インターフェース部１０５１、無線ＬＡＮインターフェース部１０２１及び無線ＬＡＮ親機側通信部１０２２を介してか、又は、汎用通信インターフェース部７２０、汎用通信インターフェース部１０５１、光無線ＬＡＮインターフェース部１０６１及び光無線ＬＡＮ親機側通部１０７１を介して、外部装置１１１〜１１３と通信することができる。
【０１２０】
このように本実施形態では、照明装置が設置される現場に合わせて光無線ＬＡＮの通信可能領域を設定したり、現場の機材等の配置変更や領域変更に対応する光無線ＬＡＮの親機やリピータの設置変更を柔軟に実施できることに加え、設置時やレイアウト変更時等の通信設定時のみ照明装置に無線ＬＡＮ親機側通信部を取り付け、全ての照明装置には無線ＬＡＮ親機側通信部を設置しなくてよいようにできるので、設置時にコストダウンすることができる。また、光無線ＬＡＮの設定、追加設置、取り外し等を現場の状況に合わせて実施することができる。
【０１２１】
また、照明装置７０１〜７０４の本体のみに点灯／消灯のＯＮ／ＯＦＦスイッチが設けられている場合には、直流電源装置２４１〜２４４から汎用端子５３１〜５３３への電力供給経路５４２を、直流電源装置２４１〜２４４から照明部５１０への電力供給経路５４１とは独立させれば、消灯時にも通信装置７０１〜７０４への電力供給を確保することができる。なお、汎用端子５３１〜５３３は、図９（ａ）に示したように複数個でなくとも、１個以上であればよい。
【０１２２】
また、図９（ａ）の各照明装置７０１〜７０４では、着脱可能で固定されない無線ＬＡＮ親機側通信装置２０３２及び／又は光無線ＬＡＮ親機側通信装置３０３２が親機であるので、現場の状況に合わせて柔軟に設置することができ、従って、配置変更等に対応することができ、不感領域ができた場合に、対応して感度を向上させる処理を実施することができる。
【０１２３】
本実施形態の無線ＬＡＮ親機側通信部１０２２を含む有線／無線ＬＡＮ装置２０３２は、照明装置７０２に着脱可能な通信部側のＵＳＢ端子１０４１を有し、照明装置７０２は、少なくとも有線／無線ＬＡＮ装置２０３２を着脱可能な照明装置側のＵＳＢ端子５３１〜５３３を有し、その照明装置側のＵＳＢ端子５３１〜５３３は、接続された通信部に電源電力を供給する。
【０１２４】
このように本実施形態の照明装置７０１〜７０４は、照明装置７０１〜７０４が設置される現場に合わせて無線ＬＡＮの通信可能領域を設定したり、現場の機材等の配置変更や領域変更に対応する無線ＬＡＮの親機の設置変更を柔軟に実施できる。また、光無線ＬＡＮ用の通信装置３０３２の変更や追加で照明装置７０１〜７０４自体を取り替える必要がなく、また、外部装置（端末）１１１〜１１３の配置変更や台数変更等により再度の通信設定が必要な場合にも、電気工事が必要なくなり、照明装置７０１〜７０４を取り替える費用、工事期間にＬＡＮを使用できない不便等を無くすことができる。
【０１２５】
＜第４実施形態＞
上記した第３実施形態では、無線ＬＡＮ親機側通信部と光無線ＬＡＮ親機側通信部を照明装置に着脱自在にしたが、ＬＡＮ端子７３１は、照明装置７０１〜７０４に予め接続されていた。しかし、光無線ＬＡＮの親機側機能を実施しない照明装置７０１〜７０４本体に、ＬＡＮ端子７３１は不要であり、照明装置７０１〜７０４本体に余計なコストを増加させていた。そこで第４実施形態では、照明装置７０１〜７０４本体からはＬＡＮ端子７３１を無くし、無線ＬＡＮ親機側通信装置２０４２及び／又は光無線ＬＡＮ親機側通信装置３０４２側にＬＡＮ端子７３１を設ける場合について説明する。なお、本実施形態の図中の第１実施形態〜第３実施形態と同様な構成については同じ符号を付与し、重複する説明を省略する。
【０１２６】
本発明の照明装置の第４実施形態は、照明装置７０２の汎用端子がＵＳＢ端子５３１〜５３３であり、無線ＬＡＮと光無線ＬＡＮの親機を照明装置７０２に着脱可能に設ける場合であって、さらに無線ＬＡＮと光無線ＬＡＮの親機に、有線ＬＡＮの端子も設ける場合である。以下、第４の実施の形態の照明装置７０２について、図１０（ａ）〜（ｃ）を用いて説明する。
【０１２７】
図１０に示した第４実施形態では、有線ＬＡＮのルータ３５０と無線ＬＡＮ親機側通信装置２０４２及び／又は光無線ＬＡＮ親機側通信装置３０４２が有線で接続される。図１０（ａ）に示したように、直流電力変換部５２０からの電源電力がＬＡＮインターフェース部７１０、無線ＬＡＮインターフェース部１０２１と光無線ＬＡＮインターフェース部１０６１に供給される。無線ＬＡＮ親機側通信部１０２２及び光無線ＬＡＮ親機側通信部１０７１は、離間した外部装置１１１〜１１８と各々無線方式及び光無線方式で通信する。
【０１２８】
このように本実施形態では、照明装置が設置される現場に合わせて光無線ＬＡＮの通信可能領域を設定したり、現場の機材等の配置変更や領域変更に対応する光無線ＬＡＮの親機やリピータの設置変更を柔軟に実施できることに加え、光通信部９９１で外部装置１１１〜１１８との間で通信信号を送受信するだけでなく、そのＬＡＮ通信装置に電源電力を供給できるので例えば、異なる方式の無線ＬＡＮや光無線ＬＡＮの通信装置を接続することができる。
【０１２９】
＜第５実施形態＞
上記した第３〜第４実施形態では、外部の通信回線網とは有線のＬＡＮにより接続され、また、無線ＬＡＮ親機側通信装置２０４２と光無線ＬＡＮ親機側通信装置３０４２とが別体である場合であった。しかし、外部の通信回線網との接続は有線のＬＡＮを無線にすることで、照明装置の設置前に予め行う必要があったＬＡＮ配線を不要にでき、また、無線ＬＡＮ親機側通信装置と光無線ＬＡＮ親機側通信装置とを一体化させて着脱を一回ですませることで、作業を簡略化できる。そこで第５実施形態では、外部の通信回線網との接続を無線ＬＡＮ化し、無線ＬＡＮ親機側通信装置と光無線ＬＡＮ親機側通信装置とを一体化させる場合について説明する。なお、本実施形態の図中の第１実施形態〜第４実施形態と同様な構成については同じ符号を付与し、重複する説明を省略する。
【０１３０】
図１１に示した第５実施形態では、室内の有線ＬＡＮのルータ３５０が無くなり、無線ルータ３４０になっている。また、図１２（ａ）に示した照明装置８０１〜８０４は、基本的に第４実施形態の照明装置７０１〜７０４と同様である。図１２（ｂ）に示した無線／光無線ＬＡＮ親機側通信装置４０２２は、無線ＬＡＮ親機側通信部１０２２及び光無線ＬＡＮ親機側通信部１０３２の両方を備えている。本実施形態の無線ＬＡＮ親機側通信部１０２２は、無線ＬＡＮ用の通信装置１２１〜１２３と通信できるだけでなく、無線ルータ３４０とも通信可能である。また、それらの通信部のための無線ＬＡＮインターフェース部１０２１と光無線ＬＡＮインターフェース部１０３２を有する。その他は、第４実施形態の無線ＬＡＮ親機側通信装置２０４２及び光無線ＬＡＮ親機側通信装置３０４２と同様である。
【０１３１】
本実施形態では通信線３００が建造物１００の室内の回線終端装置３３０に引き込まれた最初のルータ（第１のルータ）が無線ルータ３４０になっており、無線で各照明装置８０１〜８０４の汎用端子に接続された無線／光無線ＬＡＮ親機側通信装置４０２２と通信接続される。
【０１３２】
また、リピータ通信装置５０２３は、図１２（ｃ）のような無線ＬＡＮリピータ装置である。これにより、照明装置８０１〜８０４の何れかが無線ＬＡＮの通信可能範囲から外れていても、ルータ３４０との通信が可能になり、またルータへの有線によるＬＡＮ用の配線を不要にできる。従って、照明装置８０１〜８０４の設置を容易にできる。また、その照明装置８０１〜８０４とＬＡＮ接続される各外部装置１１１〜１１８に移動や配置変更が有った場合に、照明装置８０１〜８０４に無線／光無線ＬＡＮ親機側通信装置４０２２を配置するだけで、無線ＬＡＮの通信接続するか否かを容易に設定できる。また、例えば、通信回線数は少なくてもよいが、無線ＬＡＮでカバーできる領域を拡大したい場合等には、拡大したい部分の照明装置８０１〜８０４に、必要に応じて無線／光無線ＬＡＮ親機側通信装置４０２２を配置すればよく、設備投資効率が良い無線ＬＡＮの領域を設定することができる。
【０１３３】
また、電話線や光回線等に代えて、ＰＨＳや携帯電話の回線網４００を利用し、その基地局４１０と無線で各照明装置５０１〜５０４の汎用端子に接続された通信装置７０１〜７０４との間で通信接続するようにしてもよい。その場合、一般的には無線ルータ３４０等は不要になるが、例えば、電波の透過性の良くない建造物の場合等には、屋外からの電波の入りのよい場所に無線ルータ３４０等を配置して通信接続の不感地域を無くすようにしてもよい。
【０１３４】
ジャック側のＵＳＢ端子５３１〜５３３及びＵＳＢ端子１０４１は、汎用の端子であるので、無線／光無線ＬＡＮ親機側通信装置４０２２の着脱が容易である。そのため、ジャック側のＵＳＢ端子５３１〜５３３に、無線／光無線ＬＡＮ親機側通信装置４０２２又は中継装置（リピータ）等であるリピータ通信装置５０２３を装着するか否かは、各照明装置８０１〜８０４の設置現場で通信状況や光無線ＬＡＮの通信可能領域を現場で確認しながら、それに適応するように決定することができる。また、その室内の配置換え等の度に、無線／光無線ＬＡＮ親機側通信装置４０２２又はリピータ通信装置５０２３を装着するか否かを、現場で通信状況を確認しながら決定することができる。その他の構成は第１〜４実施形態と同様である。
【０１３５】
ＬＡＮのルータが無線ＬＡＮのルータ３４０である場合には、例えば、図１２（ｂ）に示したような無線／光無線ＬＡＮ親機側通信装置４０２２は、通信インターフェース部１０２１で無線ＬＡＮの第１ルータ３４０と通信が可能であるように構成され、照明装置８０１〜８０４の汎用端子５３１〜５３３に接続される。
【０１３６】
また、図１２（ｃ）の無線ＬＡＮリピータ装置５０２３の通信インターフェース部１０２１も汎用端子５３１〜５３３に接続され、第１の無線ルータ３４０と通信内容を無線ＬＡＮ用の通信装置と通信が可能であるように通信信号を変換する。これにより、第１の無線ルータ３４０の通信範囲外であっても無線ＬＡＮで接続できるので、配線を不要にでき、ＬＡＮに接続される装置の設置を容易にでき、その装置の移動や配置変更を容易にできる。
【０１３７】
このように本実施形態では、照明装置が設置される現場に合わせて光無線ＬＡＮの通信可能領域を設定したり、現場の機材等の配置変更や領域変更に対応する光無線ＬＡＮの親機やリピータの設置変更を柔軟に実施できることに加え、ＬＡＮのルータと光無線ＬＡＮ用の親機との間の配線を無線化することでＬＡＮ配線を不要にでき、無線ＬＡＮ親機側通信部１０２２及び光無線ＬＡＮ親機側通信部１０３２が一体化しているので、接続の手間が半減し、無線ＬＡＮのリピータ装置を接続することで、無線ＬＡＮの通信可能距離を増大させることができる。
【０１３８】
なお、本発明は上記した各実施形態に限られるものではなく、直流電源で発光する素子を用いた照明装置に無線ＬＡＮ用通信装置と光無線ＬＡＮ用通信装置の双方を有するか、両通信装置を接続可能であればよく、接続方法は、上記した汎用端子に限らず専用端子であってもよい。また、両通信装置への電源電力の供給は、照明装置側から汎用端子等を介して供給することが望ましいが、通信装置に電池を内蔵させてもよい。また、上記した各実施形態は、本発明を実施するために相互に組み合わせて用いるようにしてもよい。
【符号の説明】
【０１３９】
１００  建造物、
１０１  ノートパソコン、
１１１〜１１３  外部装置（パーソナルコンピュータ）、
１２１〜１２３  無線ＬＡＮ子機側通信装置、
１３１〜１３３  光無線ＬＡＮ子機側通信装置、
１５０  障害物、
２００  商用電源線、
２１０  柱上トランス、
２３０  分電盤、
２４１〜２４４、２０４１〜２０４４  直流電源装置、
２５０  ＰＬＣアダプタ、
３００  通信線、
３１０  柱上装置、
３３０  回線終端装置、
３４０  （無線ＬＡＮの）ルータ、
３５０  有線ＬＡＮのルータ、
３９０  （遠隔地の）サーバ又は他の端末装置、
４００  回線網、
４１０  基地局、
５０１〜５０４、６０１〜６０４、７０１〜７０４、８０１〜８０４、２１０１〜２１０４  照明装置、
５１０  照明部、
５２０  直流電力変換部、
５３１〜５３３  汎用端子（ＵＳＢ端子）、
５４１  直流電力の第１供給部、
５４２  直流電力の第２供給部、
５５１  第１配線材、
５５２  第２配線材、
５８０  制御部、
７１０  ＬＡＮインターフェース部、
７３１〜７３４  汎用端子（ＬＡＮ端子）、
９１０  第２ルータ部、
９２０、１０６１  光無線ＬＡＮインターフェース部、
９９２、１０３２、１０７１  光無線ＬＡＮ親機側通信部、
１０１２、１０１４、１０２２、  無線ＬＡＮ親機側通信部、
１０２１、１０６１  無線ＬＡＮインターフェース部、
１０４１ＵＳＢ端子（プラグ）、
１０４２  （リピータの）第１無線ＬＡＮ親機側通信部、
１０５１  汎用通信インターフェース部、
１０５２  （リピータの）第２無線ＬＡＮ親機側通信部、
２０２２、２０４２  無線ＬＡＮ親機側通信装置、
３０４２  光無線ＬＡＮ親機側通信装置、
４０２２  無線／光無線ＬＡＮ親機側通信装置、
５０２３  リピータ通信装置。
【図１】
0005603121.tif 000002
【図２】
0005603121.tif 000003
【図３】
0005603121.tif 000004
【図４】
0005603121.tif 000005
【図５】
0005603121.tif 000006
【図６】
0005603121.tif 000007
【図７】
0005603121.tif 000008
【図８】
0005603121.tif 000009
【図９】
0005603121.tif 000010
【図１０】
0005603121.tif 000011
【図１１】
0005603121.tif 000012
【図１２】
0005603121.tif 000013
【図１３】
0005603121.tif 000014